【手続補正書】
【提出日】平成21年7月15日(2009.7.15)
【手続補正１】
【補正対象書類名】特許請求の範囲
【補正対象項目名】全文
【補正方法】変更
【補正の内容】
【特許請求の範囲】
【請求項１】
表示装置と接続され、画像データを前記表示装置へ送信して表示させる画像データ出力装置であって、
スクリーンセイバーを起動する起動手段と、
前記スクリーンセイバーの起動に応じて、停止コマンドを前記表示装置へ送信する第１の送信手段と、
前記スクリーンセイバーの終了に応じて、解除コマンドを前記表示装置へ送信する第２の送信手段とを備え、
前記表示装置は、前記停止コマンドを受信すると、前記画像データ出力装置から送信された画像データの表示を停止し、前記解除コマンドを受信すると、前記画像データ出力装置から送信された画像データの表示の停止を解除することを特徴とする画像データ出力装置。
【請求項２】
前記起動手段は、設定時間だけ前記画像データ出力装置に対して操作が行われないと、前記スクリーンセイバーを起動し、
前記第１の送信手段は、前記画像データ出力装置に対して操作が行われない時間をカウントし、前記スクリーンセイバーの起動を予測すると、前記停止コマンドを前記表示装置へ送信することを特徴とする請求項１に記載の画像データ出力装置。
【請求項３】
画像データ出力装置と接続され、画像データを前記画像データ出力装置から受信して表示させる表示装置であって、
前記画像データ出力装置でのスクリーンセイバーの起動に応じて、停止コマンドを前記画像データ出力装置から受信する第１の受信手段と、
前記画像データ出力装置でのスクリーンセイバーの終了に応じて、解除コマンドを前記画像データ出力装置から受信する第２の受信手段と、
前記停止コマンドを受信すると、前記画像データ出力装置から送信された画像データの表示を停止し、前記解除コマンドを受信すると、前記画像データ出力装置から送信された画像データの表示の停止を解除するよう制御する表示制御手段とを備えたことを特徴とする表示装置。
【請求項４】
前記表示制御手段は、前記停止コマンドを受信すると、前記画像データ出力装置から送信された画像データの表示を停止するとともに、予め用意された画像に置き換えて表示するよう制御することを特徴とする請求項３に記載の表示装置。
【請求項５】
前記表示制御手段は、前記停止コマンドを受信すると、前記表示装置の電源をスタンバイ状態に制御し、これにより前記画像データ出力装置から送信された画像データの表示を停止することを特徴とする請求項３に記載の表示装置。
【請求項６】
表示装置と接続され、画像データを前記表示装置へ送信して表示させる画像データ出力装置を実現するためのコンピュータに、
スクリーンセイバーを起動するステップと、
前記スクリーンセイバーの起動に応じて、停止コマンドを前記表示装置へ送信するステップと、
前記スクリーンセイバーの終了に応じて、解除コマンドを前記表示装置へ送信するステップとを実行させ、
前記表示装置は、前記停止コマンドを受信すると、前記画像データ出力装置から送信された画像データの表示を停止し、前記解除コマンドを受信すると、前記画像データ出力装置から送信された画像データの表示の停止を解除することを特徴とするプログラム。
【請求項７】
画像データ出力装置と接続され、画像データを前記画像データ出力装置から受信して表示させる表示装置を実現するためのコンピュータに、
前記画像データ出力装置でのスクリーンセイバーの起動に応じて、停止コマンドを前記画像データ出力装置から受信するステップと、
前記画像データ出力装置でのスクリーンセイバーの終了に応じて、解除コマンドを前記画像データ出力装置から受信するステップと、
前記停止コマンドを受信すると、前記画像データ出力装置から送信された画像データの表示を停止するよう制御するステップと、
前記解除コマンドを受信すると、前記画像データ出力装置から送信された画像データの表示の停止を解除するよう制御するステップとを実行させるためのプログラム。
【手続補正２】
【補正対象書類名】明細書
【補正対象項目名】発明の名称
【補正方法】変更
【補正の内容】
【発明の名称】画像データ出力装置、表示装置及びプログラム
【手続補正３】
【補正対象書類名】明細書
【補正対象項目名】０００１
【補正方法】変更
【補正の内容】
【０００１】
本発明は、パーソナルコンピュータ等から転送される画像データをプロジェクタ等により表示するのに用いて好適な画像データ出力装置、表示装置及びプログラムに関する。
【手続補正４】
【補正対象書類名】明細書
【補正対象項目名】０００７
【補正方法】変更
【補正の内容】
【０００７】
本発明の画像データ出力装置は、表示装置と接続され、画像データを前記表示装置へ送信して表示させる画像データ出力装置であって、スクリーンセイバーを起動する起動手段と、前記スクリーンセイバーの起動に応じて、停止コマンドを前記表示装置へ送信する第１の送信手段と、前記スクリーンセイバーの終了に応じて、解除コマンドを前記表示装置へ送信する第２の送信手段とを備え、前記表示装置は、前記停止コマンドを受信すると、前記画像データ出力装置から送信された画像データの表示を停止し、前記解除コマンドを受信すると、前記画像データ出力装置から送信された画像データの表示の停止を解除することを特徴とする。
本発明の表示装置は、画像データ出力装置と接続され、画像データを前記画像データ出力装置から受信して表示させる表示装置であって、前記画像データ出力装置でのスクリーンセイバーの起動に応じて、停止コマンドを前記画像データ出力装置から受信する第１の受信手段と、前記画像データ出力装置でのスクリーンセイバーの終了に応じて、解除コマンドを前記画像データ出力装置から受信する第２の受信手段と、前記停止コマンドを受信すると、前記画像データ出力装置から送信された画像データの表示を停止し、前記解除コマンドを受信すると、前記画像データ出力装置から送信された画像データの表示の停止を解除するよう制御する表示制御手段とを備えたことを特徴とする。
本発明のプログラムは、表示装置と接続され、画像データを前記表示装置へ送信して表示させる画像データ出力装置を実現するためのコンピュータに、スクリーンセイバーを起動するステップと、前記スクリーンセイバーの起動に応じて、停止コマンドを前記表示装置へ送信するステップと、前記スクリーンセイバーの終了に応じて、解除コマンドを前記表示装置へ送信するステップとを実行させ、前記表示装置は、前記停止コマンドを受信すると、前記画像データ出力装置から送信された画像データの表示を停止し、前記解除コマンドを受信すると、前記画像データ出力装置から送信された画像データの表示の停止を解除することを特徴とする。
本発明の他のプログラムは、画像データ出力装置と接続され、画像データを前記画像データ出力装置から受信して表示させる表示装置を実現するためのコンピュータに、前記画像データ出力装置でのスクリーンセイバーの起動に応じて、停止コマンドを前記画像データ出力装置から受信するステップと、前記画像データ出力装置でのスクリーンセイバーの終了に応じて、解除コマンドを前記画像データ出力装置から受信するステップと、前記停止コマンドを受信すると、前記画像データ出力装置から送信された画像データの表示を停止するよう制御するステップと、前記解除コマンドを受信すると、前記画像データ出力装置から送信された画像データの表示の停止を解除するよう制御するステップとを実行させる。
【手続補正５】
【補正対象書類名】明細書
【補正対象項目名】０００８
【補正方法】変更
【補正の内容】
【０００８】
本発明によれば、例えば会議等においてプレゼンテーションを行う場合に、画像データ出力装置に設定されているスクリーンセイバー画像が表示されないようにすることができる。